(57)【要約】      （修正有）【課題】限られたスペースであっても複数のランプを配置することができる車両用灯具を提供する。【解決手段】第１光源２２Aからの光を制御する第１光学部材２４と、第２光源２２ＢＲ及び第３光源２２ＢＬからの光を制御する第２光学部材２６と、を含む少なくとも一つの光学モジュール２０を備えた車両用灯具において、前記第１光学部材２４の外周において前記第１光学部材２４を囲むように配置された外周光学部材を備えており、前記入光面から入光する前記第１光源からの光が前記一対の前面の少なくとも一部で反射し、さらに、前記一対の後面の少なくとも一部で反射した後、前方に照射されるように構成されており、前記第２光学部材２６は、前記第２光源２２ＢＲからの光及び前記第３光源からの光が前記外周光学部材まで導光されて、当該外周光学部材から出射して前方に照射されるように構成。【選択図】図２
2014216159.tif 000002
【特許請求の範囲】
【請求項１】
半導体発光素子を含む第１光源と、半導体発光素子を含む第２光源と、前記第１光源からの光を制御する第１光学部材と、前記第２光源からの光を制御する第２光学部材と、を含む少なくとも一つの光学モジュールを備えた車両用灯具において、
前記第１光学部材の外周において前記第１光学部材を囲むように配置された外周光学部材を備えており、
前記第１光学部材は、前記第１光源からの光が入光する入光面と、前面と、後面と、を含み、かつ、前記入光面から入光する前記第１光源からの光が前記前面の少なくとも一部で反射し、さらに、前記後面の少なくとも一部で反射した後、前記前面の少なくとも一部から出射して前方に照射されるように構成されており、
前記第２光学部材は、前記第２光源からの光が前記外周光学部材まで導光されて、当該外周光学部材から出射して前方に照射されるように構成されており、
前記第２光源及び前記第２光学部材は、前記第１光学部材の後方に配置されていることを特徴とする車両用灯具。
【請求項２】
前記第１光源と前記第２光源と前記第１光学部材と前記第２光学部材とを支持する支持部材をさらに備えており、
前記第２光源及び前記第２光学部材は、前記第１光学部材と前記支持部材との間に配置されていることを特徴とする請求項１に記載の車両用灯具。
【請求項３】
前記支持部材は、ベース部を含んでおり、
前記ベース部の前面は、当該前面から前方に突出した台座部を含んでおり、
前記第１光学部材の後面は、前記ベース部の前面の前記台座部以外の領域の前方に配置されており、
前記第１光源は、前記台座部に固定されており、
前記第２光源は、前記ベース部の前面の前記台座部以外の領域に固定されていることを特徴とする請求項２に記載の車両用灯具。
【請求項４】
半導体発光素子を含む第１光源と、半導体発光素子を含む第２光源と、半導体発光素子を含む第３光源と、前記第１光源からの光を制御する第１光学部材と、前記第２光源及び前記第３光源からの光を制御する第２光学部材と、を含む少なくとも一つの光学モジュールを備えた車両用灯具において、
前記第１光学部材の外周において前記第１光学部材を囲むように配置された外周光学部材を備えており、
前記第１光学部材は、前記第１光源からの光が入光する入光面と、一の方向に隣接して配置された一対の前面と、前記一の方向に隣接して配置された一対の後面と、を含み、かつ、前記入光面から入光する前記第１光源からの光が前記一対の前面の少なくとも一部で反射し、さらに、前記一対の後面の少なくとも一部で反射した後、前記一対の前面の少なくとも一部から出射して前方に照射されるように構成されており、
前記第２光学部材は、前記第２光源からの光及び前記第３光源からの光が前記外周光学部材まで導光されて、当該外周光学部材から出射して前方に照射されるように構成されており、
前記第２光源、前記第３光源及び前記第２光学部材は、前記第１光学部材の後方に配置されていることを特徴とする車両用灯具。
【請求項５】
前記第１光源と前記第２光源と前記第３光源と前記第１光学部材と前記第２光学部材とを支持する支持部材をさらに備えており、
前記第２光源、前記第３光源及び前記第２光学部材は、前記第１光学部材と前記支持部材との間に配置されていることを特徴とする請求項４に記載の車両用灯具。
【請求項６】
前記支持部材は、ベース部を含んでおり、
前記ベース部の前面は、当該前面から前方に突出した台座部と、当該台座部の両側に配置された第１領域、第２領域と、を含んでおり、
前記第１光学部材の前記一対の後面は、前記第１領域、前記第２領域の前方に配置されており、
前記第１光源は、前記台座部に固定されており、
前記第２光源は、前記第１領域に固定されており、
前記第３光源は、前記第２領域に固定されていることを特徴とする請求項５に記載の車両用灯具。
【発明の詳細な説明】
【技術分野】
【０００１】
本発明は、車両用灯具に係り、特に、半導体発光素子を含む光源と光学部材とを組み合わせた構造の車両用灯具に関する。
【背景技術】
【０００２】
従来、車両用灯具の分野においては、図１３に示すように、ロービーム用のランプＡ、ハイビーム用のランプＦ、昼間前方へ車両の存在を示すために用いられるデイタイムランニングランプＴ等の各種ランプを配置したコンビネーションランプが知られている（非特許文献１参照）。
【先行技術文献】
【非特許文献】
【０００３】
【非特許文献１】Bosch Automotive Handbook(7th edition) P968
【発明の概要】
【発明が解決しようとする課題】
【０００４】
しかしながら、非特許文献１においては、ロービーム用のランプＡ、ハイビーム用のランプＦ、デイタイムランニングランプＴを別個のランプとして構成して車両前部の異なる箇所に配置する構成であるため（図１３参照）、限られたスペースに複数のランプ（例えば、ヘッドランプ、デイタイムランニングランプ）を配置することが難しいという問題がある。
【０００５】
本発明は、このような事情に鑑みてなされたものであり、限られたスペースであっても複数のランプを配置することができる車両用灯具を提供することを目的とする。
【課題を解決するための手段】
【０００６】
上記目的を達成するため、請求項１に記載の発明は、半導体発光素子を含む第１光源と、半導体発光素子を含む第２光源と、前記第１光源からの光を制御する第１光学部材と、前記第２光源からの光を制御する第２光学部材と、を含む少なくとも一つの光学モジュールを備えた車両用灯具において、前記第１光学部材の外周において前記第１光学部材を囲むように配置された外周光学部材を備えており、前記第１光学部材は、前記第１光源からの光が入光する入光面と、前面と、後面と、を含み、かつ、前記入光面から入光する前記第１光源からの光が前記前面の少なくとも一部で反射し、さらに、前記後面の少なくとも一部で反射した後、前記前面の少なくとも一部から出射して前方に照射されるように構成されており、前記第２光学部材は、前記第２光源からの光が前記外周光学部材まで導光されて、当該外周光学部材から出射して前方に照射されるように構成されており、前記第２光源及び前記第２光学部材は、前記第１光学部材の後方に配置されていることを特徴とする。
【０００７】
請求項１に記載の車両用灯具によれば、限られたスペースであっても複数のランプ（例えば、ヘッドランプ、デイタイムランニングランプ）を配置することができる。これは、第１光学部材の外周において当該第１光学部材を囲むように外周光学部材を配置したことに加え、第２のランプ（例えば、デイタイムランニングランプ）を実現するための構成（第２光源及び第２光学部材）を、例えば、灯具正面から見て、第１のランプ（例えば、ヘッドランプ）を実現するための構成（第１光学部材）の後方に配置したことによるものである。
【０００８】
請求項２に記載の発明は、請求項１に記載の発明において、前記第１光源と前記第２光源と前記第１光学部材と前記第２光学部材とを支持する支持部材をさらに備えており、前記第２光源及び前記第２光学部材は、前記第１光学部材と前記支持部材との間に配置されていることを特徴とする。
【０００９】
請求項２に記載の発明によれば、第２のランプ（例えば、デイタイムランニングランプ）を実現するための構成（第２光源及び第２光学部材）が、第１光学部材と支持部材との間に配置された車両用灯具を提供することができる。
【００１０】
請求項３に記載の発明は、請求項２に記載の発明において、前記支持部材は、ベース部を含んでおり、前記ベース部の前面は、当該前面から前方に突出した台座部を含んでおり、前記第１光学部材の後面は、前記ベース部の前面の前記台座部以外の領域の前方に配置されており、前記第１光源は、前記台座部に固定されており、前記第２光源は、前記ベース部の前面の前記台座部以外の領域に固定されていることを特徴とする。
【００１１】
請求項３に記載の発明によれば、請求項１、２と同様の効果を奏することができる。
【００１２】
請求項４に記載の発明は、半導体発光素子を含む第１光源と、半導体発光素子を含む第２光源と、半導体発光素子を含む第３光源と、前記第１光源からの光を制御する第１光学部材と、前記第２光源及び前記第３光源からの光を制御する第２光学部材と、を含む少なくとも一つの光学モジュールを備えた車両用灯具において、前記第１光学部材の外周において前記第１光学部材を囲むように配置された外周光学部材を備えており、前記第１光学部材は、前記第１光源からの光が入光する入光面と、一の方向に隣接して配置された一対の前面と、前記一の方向に隣接して配置された一対の後面と、を含み、かつ、前記入光面から入光する前記第１光源からの光が前記一対の前面の少なくとも一部で反射し、さらに、前記一対の後面の少なくとも一部で反射した後、前記一対の前面の少なくとも一部から出射して前方に照射されるように構成されており、前記第２光学部材は、前記第２光源からの光及び前記第３光源からの光が前記外周光学部材まで導光されて、当該外周光学部材から出射して前方に照射されるように構成されており、前記第２光源、前記第３光源及び前記第２光学部材は、前記第１光学部材の後方に配置されていることを特徴とする。
【００１３】
請求項４に記載の車両用灯具によれば、限られたスペースであっても複数のランプ（例えば、ヘッドランプ、デイタイムランニングランプ）を配置することができる。これは、第１光学部材の外周において当該第１光学部材を囲むように外周光学部材を配置したことに加え、第２のランプ（例えば、デイタイムランニングランプ）を実現するための構成（第２光源及び第２光学部材）を、例えば、灯具正面から見て、第１のランプ（例えば、ヘッドランプ）を実現するための構成（第１光学部材）の後方に配置したことによるものである。
【００１４】
請求項５に記載の発明は、請求項４に記載の発明において、前記第１光源と前記第２光源と前記第３光源と前記第１光学部材と前記第２光学部材とを支持する支持部材をさらに備えており、前記第２光源、前記第３光源及び前記第２光学部材は、前記第１光学部材と前記支持部材との間に配置されていることを特徴とする。
【００１５】
請求項５に記載の発明によれば、第２のランプ（例えば、デイタイムランニングランプ）を実現するための構成（第２光源及び第２光学部材）が、第１光学部材と支持部材との間に配置された車両用灯具を提供することができる。
【００１６】
請求項６に記載の発明は、請求項５に記載の前記支持部材は、ベース部を含んでおり、前記ベース部の前面は、当該前面から前方に突出した台座部と、当該台座部の両側に配置された第１領域、第２領域と、を含んでおり、前記第１光学部材の前記一対の後面は、前記第１領域、前記第２領域の前方に配置されており、前記第１光源は、前記台座部に固定されており、前記第２光源は、前記第１領域に固定されており、前記第３光源は、前記第２領域に固定されていることを特徴とする。
【００１７】
請求項６に記載の発明によれば、請求項４、５と同様の効果を奏することができる。
【発明の効果】
【００１８】
本発明によれば、限られたスペースであっても複数のランプを配置することができる車両用灯具を提供することが可能となる。
【図面の簡単な説明】
【００１９】
【図１】（ａ）本発明の一実施形態である車両用灯具１０（外周導光部３２は省略）の上面図、（ｂ）正面図、（ｃ）斜視図、（ｄ）側面図である。
【図２】ハイビーム用光学モジュール２０の分解斜視図である。
【図３】ハイビーム用光学モジュール２０の斜視図である。
【図４】（ａ）ハイビーム用光学モジュール２０の底面図、（ｂ）側面図、（ｃ）正面図、（ｄ）図４（ｃ）に示したハイビーム用光学モジュール２０のＡ−Ａ断面図である。
【図５】（ａ）車両前面に正対した仮想鉛直スクリーン（車両前面から約２５ｍ前方に配置されている）上に形成されるデイタイムランニングランプ用配光パターンＰＤＲＬの例、（ｂ）仮想鉛直スクリーン上に形成されるロービーム用配光パターンＰＬｏの例、（ｃ）仮想鉛直スクリーン上に形成されるハイビーム用配光パターンＰＨｉの例である。
【図６】（ａ）第２光学部材２６の底面図、（ｂ）側面図、（ｃ）正面図、（ｄ）斜視図、（ｅ）図６（ｃ）に示した第２光学部材２６のＣ−Ｃ断面図、（ｆ）図６（ｃ）に示した第２光学部材２６のＤ−Ｄ断面図である。
【図７】（ａ）第１光学部材２４の底面図、（ｂ）側面図、（ｃ）正面図、（ｄ）斜視図、（ｅ）背面図である。
【図８】（ａ）図４（ｃ）に示したハイビーム用光学モジュール２０のＢ−Ｂ断面図、（ｂ）右光源２２ＢＲからの光が、第２光学部材２６内部を導光される様子を表す断面図である。
【図９】（ａ）車両用灯具１０の正面図（デイタイムランニングランプ用配光パターンＰＤＲＬを形成する場合の発光領域）、（ｂ）車両用灯具１０の正面図（ロービーム用配光パターンＰＬｏを形成する場合の発光領域）、（ｃ）車両用灯具１０の正面図（ハイビーム用配光パターンＰＨｉを形成する場合の発光領域）である。
【図１０】（ａ）光学モジュール２０の正面図（ハイビーム用配光パターンＰＨｉ又はロービーム用配光パターンＰＬｏを形成する場合の発光領域）、（ｂ）光学モジュール２０の斜視図（ハイビーム用配光パターンＰＨｉ又はロービーム用配光パターンＰＬｏを形成する場合の発光領域）、（ｃ）光学モジュール２０の正面図（デイタイムランニングランプ用配光パターンＰＤＲＬを形成する場合の発光領域）、（ｄ）光学モジュール２０の斜視図（デイタイムランニングランプ用配光パターンＰＤＲＬを形成する場合の発光領域）である。
【図１１】第２光学部材２６の変形例を説明するための断面図である。
【図１２】（ａ）光学モジュール２０（変形例）の正面図、（ｂ）図１２（ａ）に示した光学モジュール２０のＥ−Ｅ断面図である。
【図１３】非特許文献１に記載の車両用灯具２００の正面図である。
【発明を実施するための形態】
【００２０】
以下、本発明の一実施形態である車両用灯具（車両用前照灯）について、図面を参照しながら説明する。図１（ａ）は自動車等の車両の前部の左右に配置される車両用灯具のうち、左側に配置される車両用灯具１０（外周導光部３２は省略）の上面図、図１（ｂ）は正面図、図１（ｃ）は斜視図、図１（ｄ）は側面図である。左側に配置される車両用灯具１０と右側に配置される車両用灯具とは、左右対称で実質的に同一の構成である。このため、以下、左側に配置される車両用灯具１０を中心に説明し、右側に配置される車両用灯具の説明は省略する。
【００２１】
図１（ａ）〜図１（ｄ）に示すように、車両用灯具１０は、２つのハイビーム用光学モジュール２０、２つのロービーム用光学モジュール４０Ａ、４０Ｂの合計４つの光学モジュールを備えている。各光学モジュール２０、４０Ａ、４０Ｂは、灯具正面から見て、斜め右上がりの方向に一列に並んだ状態で配置され、かつ、車両中心寄りのユニットほど車両前方側に配置されている。各光学モジュール２０、４０Ａ、４０Ｂは、それぞれの発光領域間の距離が１５ｍｍ以下となるように、ブラケット（図示せず）に固定されている。これにより、各光学モジュール２０、４０Ａ、４０Ｂの発光領域を全体で一つの発光領域として視認させることができる。
【００２２】
まず、ハイビーム用光学モジュール２０について説明する。
【００２３】
図２はハイビーム用光学モジュール２０の分解斜視図、図３はハイビーム用光学モジュール２０の斜視図である。図４（ａ）はハイビーム用光学モジュール２０の底面図、図４（ｂ）は側面図、図４（ｃ）は正面図、図４（ｄ）は図４（ｃ）に示したハイビーム用光学モジュール２０のＡ−Ａ断面図である。図５（ａ）は車両前面に正対した仮想鉛直スクリーン（車両前面から約２５ｍ前方に配置されている）上に形成されるデイタイムランニングランプ用配光パターンＰＤＲＬの例、図５（ｃ）は、仮想鉛直スクリーン上に形成されるハイビーム用配光パターンＰＨｉの例である。
【００２４】
２つのハイビーム用光学モジュール２０は、ハイビーム用配光パターンＰＨｉ中の集光領域Ｐ１（図５（ｃ）参照）又はデイタイムランニングランプ用配光パターンＰＤＲＬ（図５（ａ）参照）を形成するように構成された光学モジュールである。
【００２５】
図２に示すように、ハイビーム用光学モジュール２０は、半導体発光素子を含む中央光源２２Ａ（本発明の第１光源に相当）と、半導体発光素子を含む右光源２２ＢＲ（本発明の第２光源に相当）、半導体発光素子を含む左光源２２ＢＬ（本発明の第３光源に相当）と、中央光源２２Ａからの光を制御する第１光学部材２４と、左右光源２２ＢＲ、２２ＢＬからの光を制御する第２光学部材２６と、これらを支持する支持部材２８を含み、これらが図３、図４（ａ）〜図４（ｄ）に示すように組み合わされて、いわゆるダイレクトプロジェクション型（直射型とも称される）の光学モジュールを構成している。
【００２６】
支持部材２８は、アルミダイカスト等の金属製で、図２に示すように、矩形板状のベース部２８ａを含んでいる。ベース部２８ａの前面は、左右方向の両側において前方に一段高く突出した右突出部２８ｂ、左突出部２８ｃ、左右方向の略中央部から前方に一段高く突出した台座部２８ｄ、台座部２８ｄの左右両側に配置された右領域２８ｅ（本発明の第１領域に相当）、左領域２８ｆ（本発明の第２領域に相当）を含んでいる。各突出部２８ｂ、２８ｃは、第１光学部材２４の脚部３４の係止穴３４ａに係合する爪部２８ｂ１、２８ｃ１を含んでいる。ベース部２８ａの後面は、水平方向に間隔をおいて配置された複数の放熱フィン２８ｇを含んでいる。
【００２７】
各突出部２８ｂ、２８ｃの先端面は、当接ピン２８ｂ２、２８ｃ２と位置決めピン２８ｂ３、２８ｃ３とを含んでいる。当接ピン２８ｂ２、２８ｃ２は、第２光学部材２６の後面に当接するピンである。位置決めピン２８ｂ３、２８ｃ３は、第１光学部材２４及び第２光学部材２６に形成された位置決め穴２４ａ、２６ｄに挿入されるピンである。
【００２８】
台座部２８ｄは、ベース部２８ａの下端縁からベース部２８ａの上端縁より所定距離ｈ下方の位置まで延びている。台座部２８ｄの上方には、ベース部２８ａの前面から前方に延びる位置決めピン２８ｈが配置されている。位置決めピン２８ｈは、第１光学部材２４及び第２光学部材２６に形成された位置決め用の切り欠き部３２ｃ、２６ａ１に挿入されるピンである。
【００２９】
台座部２８ｄの先端面は、位置決めピン２８ｄ１、ネジ穴２８ｄ２、熱伝導部材用溝部２８ｄ３を含んでいる。位置決めピン２８ｄ１は、中央光源２２Ａ（基板２２Ａａ）に形成された位置決め穴２２Ａｃに挿入されるピンである。
【００３０】
図２に示すように、中央光源２２Ａは、例えば、金属製の基板２２Ａａ、当該基板２２Ａａの表面に実装された半導体発光素子２２Ａｂ（例えば、１ｍｍ角の発光面を含む発光ダイオード×４）等を備えている。半導体発光素子２２Ａｂは、例えば、発光色が青系のＬＥＤとこれを覆う黄色系の蛍光体（例えば、ＹＡＧ蛍光体）とを組み合わせた構造の半導体発光素子で、基板２２Ａａの表面に所定間隔をおいて一列に実装されて、横長矩形の発光面（発光部）を構成している。
【００３１】
半導体発光素子２２Ａｂは、上記に限られず、ＲＧＢ三色のＬＥＤ（又はレーザーダイオード）を組み合わせた構造の半導体発光素子であってもよいし、その他構造の半導体発光素子であってもよい。なお、半導体発光素子２２Ａｂは、１以上であればよい。
【００３２】
中央光源２２Ａは、支持部材２８（台座部２８ｄ）に支持されて、第１光学部材２４と支持部材２８との間に配置されている。具体的には、中央光源２２Ａは、支持部材２８（台座部２８ｄ）の位置決めピン２８ｄ１を基板２２Ａａに形成された位置決め穴２２Ａｃに挿入することで、支持部材２８に対して位置決めされている。そして、中央光源２２Ａは、基板２２Ａａに形成された貫通穴２２Ａｄに挿入されたネジ（図示せず）を支持部材２８（台座部２８ｄ）のネジ穴２８ｄ２に螺合することで、支持部材２８（台座部２８ｄ）に固定されている。なお、中央光源２２Ａの矩形横長の発光面（発光部）は、前方を向いている。
【００３３】
中央光源２２Ａ（基板２２Ａａの裏面）と支持部材２８（台座部２８ｄの先端面に形成された熱伝導部材用溝部２８ｄ３）との間には、中央光源２２Ａと支持部材２８との間の伝熱性を高める観点から、熱伝導グリス（サーマルグリス）、熱伝導シート等の熱伝導性部材（図示せず）が配置されている。これにより、中央光源２２Ａ（半導体発光素子２２Ａｂ）で発生する熱の放熱経路（すなわち、基板２２Ａａ→熱伝導性部材→台座部２８ｄ→ベース部２８ａ→放熱フィン２８ｇ）が構成されている。
【００３４】
なお、半導体発光素子２２Ａｂの駆動電流は、基板２２Ａａの下端部２２Ａｅに装着されるカプラ（図示せず）から基板２２Ａａ上の配線パターンを介して供給されるように構成されている。
【００３５】
図２に示すように、右光源２２ＢＲ（左光源２２ＢＬも同様）は、ランバーシアン発光にほぼ一致する広がりの配光を持つ光源で、例えば、金属製の基板２２Ｂａ、当該基板２２Ｂａの表面に実装された半導体発光素子２２Ｂｂ（例えば、１ｍｍ角の発光面を含む発光ダイオード×１）等を備えている。半導体発光素子２２Ｂｂは、例えば、発光色が青系のＬＥＤとこれを覆う黄色系の蛍光体（例えば、ＹＡＧ蛍光体）とを組み合わせた構造の半導体発光素子である。
【００３６】
半導体発光素子２２Ｂｂは、上記に限られず、ＲＧＢ三色のＬＥＤ（又はレーザーダイオード）を組み合わせた構造の半導体発光素子であってもよいし、その他構造の半導体発光素子であってもよい。なお、半導体発光素子２２Ｂｂは、１以上であればよい。
【００３７】
右光源２２ＢＲは、支持部材２８（ベース部２８ａの前面）の右領域２８ｅにネジ止め固定されている。同様に、左光源２２ＢＬは、支持部材２８（ベース部２８ａの前面）の左領域２８ｆにネジ止め固定されている。なお、右光源２２ＢＲ（及び左光源２２ＢＬ）の発光面（発光部）は、前方を向いている。
【００３８】
図６（ａ）は第２光学部材２６の底面図、図６（ｂ）は側面図、図６（ｃ）は正面図、図６（ｄ）は斜視図、図６（ｅ）は図６（ｃ）に示した第２光学部材２６のＣ−Ｃ断面図、図６（ｆ）は図６（ｃ）に示した第２光学部材２６のＤ−Ｄ断面図である。
【００３９】
第２光学部材２６は、アクリルやポリカーボネイト等の透明樹脂製で、図６（ａ）〜図６（ｆ）に示すように、右導光部２６Ｒ、左導光部２６Ｌ、連結部２６ａ、及び、外周導光部２６ｂ等を含んでいる。第２光学部材２６は、例えば、射出成形により一体成形されている。
【００４０】
右導光部２６Ｒと左導光部２６Ｌは一定間隔をおいて左右に隣接して配置されており、右導光部２６Ｒの上部と左導光部２６Ｌの上部は連結部２６ａで連結されている。これにより、右導光部２６Ｒと左導光部２６Ｌとの間かつ連結部２６ａの下方に、支持部材２８の台座部２８ｄが挿入される切り欠き部２６ｃが構成されている。連結部２６ａには、支持部材２８の台座部２８ｄの上部に配置された位置決めピン２８ｈが挿入される切り欠き部２６ａ１が形成されている。
【００４１】
第２光学部材２６は、右光源２２ＢＲからの光及び左光源２２ＢＬからの光が外周導光部２６ｂまで導光されて、当該外周導光部２６ｂ（前面２６ｂ１）から出射するように構成されている。これを実現するため、第２光学部材２６は次のように構成されている。
【００４２】
図６（ｅ）に示すように、右導光部２６Ｒの後面の右光源２２ＢＲが対向する箇所には、右入光部２６Ｒａが配置されている。右入光部２６Ｒａは、右光源２２ＢＲの光軸ＡＸ２２ＢＲを回転軸とする回転対称な形状とされている。
【００４３】
右入光部２６Ｒａは、右光源２２ＢＲの光軸ＡＸ２２ＢＲ上に配置された第１入光面２６Ｒｂと、第１入光面２６Ｒｂの周囲から右光源２２ＢＲに向かって延びて、右光源２２ＢＲの前方において光軸ＡＸ２２ＢＲを囲む筒状の面として構成された第２入光面２６Ｒｃと、第２入光面２６Ｒｃの外周において第２入光面２６Ｒｃを囲む筒状の第１反射面２６Ｒｄと、を含んでいる。
【００４４】
第１入光面２６Ｒｂは、当該第１入光面２６Ｒｂから右導光部２６Ｒ内部へ入光する右光源２２ＢＲからの光が光軸ＡＸ２２ＢＲに対して平行な光となるようにその面形状が構成されている。
【００４５】
第１反射面２６Ｒｄは、第２入光面２６Ｒｃから右導光部２６Ｒ内部へ入光し、当該第１反射面２６Ｒｄで反射される右光源２２ＢＲからの光が光軸ＡＸ２２ＢＲに対して平行な光となるようにその面形状が構成されている。
【００４６】
右導光部２６Ｒの前面の第１入光面２６Ｒｂ及び第１反射面２６Ｒｄが対向する箇所には、円錐形状の凹部２６Ｒｅが形成されている。これにより、右入光部２６Ｒａから右導光部２６Ｒ内部へ入光した右光源２２ＢＲからの光を、光軸ＡＸ２２ＢＲに対して直交する面に沿って放射状に広がる方向へ内面反射する円錐形状の第２反射面２６Ｒｆが構成されている。
【００４７】
図６（ｆ）に示すように、左導光部２６Ｌの後面の左光源２２ＢＬが対向する箇所には、左入光部２６Ｌａが配置されている。左入光部２６Ｌａは、左光源２２ＢＬの光軸ＡＸ２２ＢＬを回転軸とする回転対称な形状とされている。
【００４８】
左入光部２６Ｌａは、左光源２２ＢＬの光軸ＡＸ２２ＢＬ上に配置された第１入光面２６Ｌｂと、第１入光面２６Ｌｂの周囲から左光源２２ＢＬに向かって延びて、左光源２２ＢＬの前方において光軸ＡＸ２２ＢＬを囲む筒状の面として構成された第２入光面２６Ｌｃと、第２入光面２６Ｌｃの外周において第２入光面２６Ｌｃを囲む筒状の第１反射面２６Ｌｄと、を含んでいる。
【００４９】
第１入光面２６Ｌｂは、当該第１入光面２６Ｌｂから左導光部２６Ｌ内部へ入光する左光源２２ＢＬからの光が光軸ＡＸ２２ＢＬに対して平行な光となるようにその面形状が構成されている。
【００５０】
第１反射面２６Ｌｄは、第２入光面２６Ｌｃから左導光部２６Ｌ内部へ入光し、当該第１反射面２６Ｌｄで反射される左光源２２ＢＬからの光が光軸ＡＸ２２ＢＬに対して平行な光となるようにその面形状が構成されている。
【００５１】
左導光部２６Ｌの前面の第１入光面２６Ｌｂ及び第１反射面２６Ｌｄが対向する箇所には、円錐形状の凹部２６Ｌｅが形成されている。これにより、左入光部２６Ｌａから左導光部２６Ｌ内部へ入光した左光源２２ＢＬからの光を、光軸ＡＸ２２ＢＬに対して直交する面に沿って放射状に広がる方向へ内面反射する円錐形状の第２反射面２６Ｌｆが構成されている。
【００５２】
図６（ｃ）、図６（ｄ）に示すように、外周導光部２６ｂは、右導光部２６Ｒ及び左導光部２６Ｌの外周において右導光部２６Ｒ及び左導光部２６Ｌ（切り欠き部２６ｃ以外）を囲むように配置されている。
【００５３】
図６（ｅ）、図６（ｆ）に示すように、外周導光部２６ｂは、前面２６ｂ１と、後面２６ｂ２と、を含んでいる。
【００５４】
前面２６ｂ１は、右導光部２６Ｒ及び左導光部２６Ｌの外周において右導光部２６Ｒ及び左導光部２６Ｌ（切り欠き部２６ｃ以外）を囲むように配置されている。同様に、後面２６ｂ２は、右導光部２６Ｒ及び左導光部２６Ｌの外周において右導光部２６Ｒ及び左導光部２６Ｌ（切り欠き部２６ｃ以外）を囲むように配置されている。後面２６ｂ２は、第２反射面２６Ｒｆ（第２反射面２６Ｌｆ）で反射されて右導光部２６Ｒ（及び左導光部２６Ｌ）内部を放射状に進行する右光源２２ＢＲ（及び左光源２２ＢＬ）からの光を、前面２６ｂ１に向けて内面反射する反射面として機能する。
【００５５】
前面２６ｂ１は、光軸ＡＸ２２ＢＲ（及びＡＸ２２ＢＬ）に対して直交する面とされている。
【００５６】
上記構成の第２光学部材２６においては、図８（ｂ）に示すように、右光源２２ＢＲからの光は、右入光部２６Ｒａから右導光部２６Ｒ内部へ入光し、第２反射面２６Ｒｆで光軸ＡＸ２２ＢＲに対して直交する面に沿って放射状に広がる方向へ内面反射され、さらに後面２６ｂ２で外周導光部２６ｂの前面２６ｂ１に向けて内面反射されて、外周導光部２６ｂの前面２６ｂ１から出射する。同様に、左光源２２ＢＬからの光は、左入光部２６Ｌａから左導光部２６Ｌ内部へ入光し、第２反射面２６Ｌｆで光軸ＡＸ２２ＢＬに対して直交する面に沿って放射状に広がる方向へ内面反射され、さらに後面２６ｂ２で外周導光部２６ｂの前面２６ｂ１に向けて内面反射されて、外周導光部２６ｂの前面２６ｂ１から出射する。
【００５７】
図７（ａ）は第１光学部材２４の底面図、図７（ｂ）は側面図、図７（ｃ）は正面図、図７（ｄ）は斜視図、図７（ｅ）は背面図である。
【００５８】
第１光学部材２４は、アクリルやポリカーボネイト等の透明樹脂製で、図７（ａ）〜図７（ｅ）に示すように、第１光学部材本体３０、外周導光部３２（本発明の外周光学部材に相当）、外周導光部３２の左右両側から支持部材２８に向かって延びる一対の脚部３４等を含んでいる。第１光学部材２４は、例えば、射出成形により一体成形されている。
【００５９】
第１光学部材本体３０は、中央光源２２Ａからの光が入光する入光面３０ａ、左右方向に隣接して配置された一対の前面３０ｂ（右前面３０ｂ１及び左前面３０ｂ２）、左右方向に隣接して配置された一対の後面３０ｃ（右後面３０ｃ１及び左後面３０ｃ２）及び入光面３０ａ側の光学設計上の基準点Ｆを含んでいる。一対の後面３０ｃ（右後面３０ｃ１及び左後面３０ｃ２）は、支持部材２８の右領域２８ｅ、左領域２８ｆの前方に配置されている。
【００６０】
そして、第１光学部材本体３０は、入光面３０ａから入光する中央光源２２Ａからの光が一対の前面３０ｂ（右前面３０ｂ１及び左前面３０ｂ２）の少なくとも一部で反射し、さらに、一対の後面３０ｃ（右後面３０ｃ１及び左後面３０ｃ２）の少なくとも一部で反射した後、一対の前面３０ｂ（右前面３０ｂ１及び左前面３０ｂ２）の少なくとも一部から出射して前方に照射されるように構成されている。
【００６１】
図７（ｃ）、図７（ｄ）に示すように、第１光学部材本体３０の前面３０ｂは、右後面３０ｃ１の前方に配置された右前面３０ｂ１と、左後面３０ｃ２の前方に配置された左前面３０ｂ２と、右前面３０ｂ１と左前面３０ｂ２との間の中間領域３０ｂ３を含んでいる。
【００６２】
右前面３０ｂ１及び左前面３０ｂ２は、入光面３０ａから入光する中央光源２２Ａからの光の入射角が臨界角を超える領域で、入光面３０ａから入光する中央光源２２Ａからの光を後面３０ｃ（右後面３０ｃ１及び左後面３０ｃ２）に向けて全反射するとともに、後面３０ｃ（右後面３０ｃ１及び左後面３０ｃ２）からの反射光が出射する領域である。
【００６３】
中間領域３０ｂ３は、入光面３０ａから入光する中央光源２２Ａからの光の入射角が臨界角未満となる領域で、当該入光面３０ａから入光する臨界角未満の光を後面３０ｃ（右後面３０ｃ１及び左後面３０ｃ２）に向けて反射する領域である。入光面３０ａから入光する臨界角未満の光を後面３０ｃに向けて反射するため、中間領域３０ｂ３には、アルミ蒸着等による鏡面処理が施されて反射膜が形成されている（図７（ｃ）、図７（ｄ）中のハッチング領域参照）。
【００６４】
図７（ｅ）に示すように、光学部材本体３０の後面３０ｃは、支持部材２８の台座部２８ｄが対向する箇所に形成された矩形溝部３０ｃ３と、矩形溝部３０ｃ３の底面に形成された入光面３０ａを含むＶ溝部３０ｃ４と、矩形溝部３０ｃ３（Ｖ溝部３０ｃ４）の両側に配置された右後面３０ｃ１、左後面３０ｃ２と、を含んでいる。
【００６５】
右後面３０ｃ１及び左後面３０ｃ２は、前面３０ｂからの反射光を前面３０ｂ（右前面３０ｂ１、左前面３０ｂ２）に向けて反射し、前面３０ｂ（右前面３０ｂ１、左前面３０ｂ２）から出射させる領域である。前面３０ｂからの反射光を前面３０ｂ（右前面３０ｂ１、左前面３０ｂ２）に向けて反射し、前面３０ｂ（右前面３０ｂ１、左前面３０ｂ２）から出射させるため、右後面３０ｃ１及び左後面３０ｃ２には、アルミ蒸着等による鏡面処理が施されて反射膜が形成されている（図７（ｅ）中のハッチング領域参照）。
【００６６】
矩形溝部３０ｃ３は、支持部材２８の台座部２８ｄの先端部が挿入される溝部で、光学部材本体３０の後面３０ｃのうち支持部材２８の台座部２８ｄが対向する箇所において上下方向に延びた状態で形成されている。
【００６７】
Ｖ溝部３０ｃ４は、矩形溝部３０ｃ３の底面において上下方向に延びた状態で形成されている。Ｖ溝部３０ｃ４を構成する左右の面（図７（ｅ）参照）は、一対の入光面３０ａとして用いられる。なお、Ｖ溝部３０ｃ４を構成する左右の面（一対の入光面３０ａ）は、平面であってもよいし、曲面であってもよい。
【００６８】
第１光学部材２４（第１光学部材本体３０）の基準点Ｆは、Ｖ溝部３０ｃ４内に位置していてもよいし、Ｖ溝部３０ｃ４外に位置していてもよい。本実施形態では、第１光学部材２４への入光効率を高める観点から、第１光学部材２４（光学部材本体３０）の基準点Ｆは、Ｖ溝部３０ｃ４内に位置している。
【００６９】
第１光学部材本体３０の入光面３０ａ、前面３０ｂ及び後面３０ｃ（右後面３０ｃ１及び左後面３０ｃ２）のうち少なくとも一つは、入光面３０ａから光学部材本体３０内部に入光し、前面３０ｂ及び後面３０ｃ（右後面３０ｃ１及び左後面３０ｃ２）で反射された後に、前面３０ｂ（右前面３０ｂ１、左前面３０ｂ２）から出射して前方に照射される中央光源２２Ａからの光（半導体発光素子の光源像）が、仮想鉛直スクリーン上に、ハイビーム用配光パターンＰＨｉ中の集光領域Ｐ１（図５（ｃ）参照）を形成するように、その面形状が設計されている。各面の設計手法については、例えば、米国特許第７４６０９８５号に詳しく記載されている。
【００７０】
図７（ｃ）、図７（ｄ）に示すように、外周導光部３２（本発明の外周光学部材に相当）は、第１光学部材２４（第１光学部材本体３０）の外周において第１光学部材２４（第１光学部材本体３０）を囲むように配置されている。
【００７１】
外周導光部３２は、前面３２ａと後面３２ｂとを含んでいる。図８（ｂ）に示すように、外周導光部３２の後面３２ｂは第２光学部材２６の外周導光部２６ｂの前面２６ｂ１から出射する光が入光する面である。外周導光部３２の前面３２ａは、後面３２ｂから入光した光が出射する面である。第１光学部材２４の外周導光部３２の前面３２ａ及び後面３２ｂは、光軸ＡＸ２２ＢＲ（２２ＢＬ）に対して直交する面とされている。
【００７２】
第１光学部材２４、第２光学部材２６は次のようにして支持部材２８に支持されている。
【００７３】
まず、図２に示すように、支持部材２８の位置決めピン２８ｂ３、２８ｃ３を第２光学部材２６に形成された位置決め穴２６ｄ、２６ｄに挿入し、位置決めピン２８ｈを連結部２６ａに形成された切り欠き部２６ａ１に挿入し、中央光源２２Ａが固定された支持部材２８の台座部２８ｄを第２光学部材２６の切り欠き部２６ｃに挿入する。これにより、第２光学部材２６が支持部材２８に対して位置決めされる。
【００７４】
次に、支持部材２８の位置決めピン２８ｂ３、２８ｃ３を第１光学部材２６に形成された位置決め穴２４ａ、２４ａに挿入し、支持部材２８の位置決めピン２８ｈを外周導光部３２に形成された切り欠き部３２ｃに挿入し、中央光源２２Ａが固定された支持部材２８の台座部２８ｄの先端部を光学部材２４の矩形溝部３０ｃ３に挿入する。これにより、第１光学部材２４が第２光学部材２６及び支持部材２８に対して位置決めされる。
【００７５】
そして、支持部材２８の爪部２８ｃ１を、第１光学部材２４の脚部３４の係止穴３４ａに係合させる。これにより、第１光学部材２４が支持部材２８に固定される。これとともに、第２光学部材２６が第１光学部材２４（外周導光部３２の後面３２ｂ）と支持部材２８（位置決めピン２８ｂ３、２８ｃ３の基端側の大径部及び支持部材２８の当接ピン２８ｂ２、２８ｃ２）との間に挟持される。この挟持された状態で、第１光学部材２４の外周導光部３２の後面３２ｂと第２光学部材２６の外周導光部２６ｂの前面２６ｂ１とは面接触している。これにより、図８（ａ）、図８（ｂ）に示すように、第２光学部材２６の右入光部２６Ｒａから入光する右光源２２ＢＲからの光及び第２光学部材２６の左入光部２６Ｌａから入光する左光源２２ＢＬからの光が第１光学部材２４の外周導光部３２まで導光されて、当該外周導光材３２の前面３２ａから出射して前方に照射される光路が構成される。右光源２２ＢＲ、左光源２２ＢＬ及び第２光学部材２４は、灯具正面から見て、第１光学部材２４の後方、かつ、第１光学部材２４と支持部材２８との間に配置されている（例えば、図４（ａ）〜図４（ｄ）参照）。中央光源２２Ａ（横長矩形の発光面）は、第１光学部材２４（光学部材本体３０）の基準点Ｆ（又はその近傍）に位置している。なお、第１光学部材２４と支持部材２８とは、上記フック構造に代えて、ネジで固定してもよい。
【００７６】
次に、ロービーム用光学モジュール４０Ａについて説明する。
【００７７】
図５（ｂ）は、仮想鉛直スクリーン上に形成されるロービーム用配光パターンＰＬｏの例である。
【００７８】
ロービーム用光学モジュール４０Ａは、ロービーム用配光パターンＰＬｏ中の集光領域Ｐ２（図５（ｂ）参照）又はデイタイムランニングランプ用配光パターンＰＤＲＬ（図５（ａ）参照）を形成するように構成された光学モジュールである。
【００７９】
ロービーム用光学モジュール４０Ａは、ハイビーム用光学モジュール２０と同様、半導体発光素子を含む中央光源２２Ａ（本発明の第１光源に相当）と、半導体発光素子を含む右光源２２ＢＲ（本発明の第２光源に相当）、半導体発光素子を含む左光源２２ＢＬ（本発明の第３光源に相当）と、中央光源２２Ａからの光を制御する第１光学部材２４と、左右光源２２ＢＲ、２２ＢＬからの光を制御する第２光学部材２６と、これらを支持する支持部材２８を含み、これらが図３、図４（ａ）〜図４（ｄ）に示すように組み合わされて、いわゆるダイレクトプロジェクション型（直射型とも称される）の光学モジュールを構成している。
【００８０】
一方、ロービーム用光学モジュール４０Ａは、ハイビーム用光学モジュール２０と比べ、光学部材本体３０の入光面３０ａ、前面３０ｂ及び後面３０ｃ（右後面３０ｃ１及び左後面３０ｃ２）のうち少なくとも一つが、入光面３０ａから光学部材本体３０内部に入光し、前面３０ｂ及び後面３０ｃ（右後面３０ｃ１及び左後面３０ｃ２）で反射された後に、前面３０ｂ（右前面３０ｂ１、左前面３０ｂ２）から出射して前方に照射される中央光源２２Ａからの光（半導体発光素子の光源像）が、仮想鉛直スクリーン上に、ロービーム用配光パターンＬｏ中の集光領域Ｐ２（図５（ｂ）参照）を形成するように、その面形状が設計されている点で異なっている。
【００８１】
次に、ロービーム用光学モジュール４０Ｂについて説明する。
【００８２】
ロービーム用光学モジュール４０Ｂは、ロービーム用配光パターンＰＬｏ中の拡散領域Ｐ３（図５（ｂ）参照）又はデイタイムランニングランプ用配光パターンＰＤＲＬ（図５（ａ）参照）を形成するように構成された光学モジュールである。
【００８３】
ロービーム用光学モジュール４０Ｂは、ハイビーム用光学モジュール２０と同様、半導体発光素子を含む中央光源２２Ａ（本発明の第１光源に相当）と、半導体発光素子を含む右光源２２ＢＲ（本発明の第２光源に相当）、半導体発光素子を含む左光源２２ＢＬ（本発明の第３光源に相当）と、中央光源２２Ａからの光を制御する第１光学部材２４と、左右光源２２ＢＲ、２２ＢＬからの光を制御する第２光学部材２６と、これらを支持する支持部材２８を含み、これらが図３、図４（ａ）〜図４（ｄ）に示すように組み合わされて、いわゆるダイレクトプロジェクション型（直射型とも称される）の光学モジュールを構成している。
【００８４】
一方、ロービーム用光学モジュール４０Ｂは、ハイビーム用光学モジュール２０と比べ、光学部材本体３０の入光面３０ａ、前面３０ｂ及び後面３０ｃ（右後面３０ｃ１及び左後面３０ｃ２）のうち少なくとも一つが、入光面３０ａから光学部材本体３０内部に入光し、前面３０ｂ及び後面３０ｃ（右後面３０ｃ１及び左後面３０ｃ２）で反射された後に、前面３０ｂ（右前面３０ｂ１、左前面３０ｂ２）から出射して前方に照射される中央光源２２Ａからの光（半導体発光素子の光源像）が、仮想鉛直スクリーン上に、ロービーム用配光パターンＬｏ中の拡散領域Ｐ３（図５（ｂ）参照）を形成するように、その面形状が設計されている点で異なっている。
【００８５】
次に、各光学モジュール２０、４０Ａ、４０Ｂの動作例（ハイビーム用配光パターンＰＨｉ、ロービーム用配光パターンＰＬｏ又はデイタイムランニングランプ用配光パターンＰＤＲＬに切り換える動作例）について説明する。
【００８６】
各配光パターンＰＨｉ、ＰＬｏ、ＰＤＲＬの切り換えは、各光学モジュール２０、４０Ａ、４０Ｂ（それぞれの中央光源２２Ａ、右光源２２ＢＲ、左光源２２ＢＬ）が電気的に接続されたＥＣＵ等の制御回路（図示せず）によって行われる。
【００８７】
制御回路は、各光学モジュール２０、４０Ａ、４０Ｂ（それぞれの中央光源２２Ａ、右光源２２ＢＲ、左光源２２ＢＬ）の点灯状態（点灯又は消灯）を個別に制御することで、ハイビーム用配光パターンＰＨｉ、ロービーム用配光パターンＰＬｏ又はデイタイムランニングランプ用配光パターンＰＤＲＬに切り換える。
【００８８】
例えば、ハイビーム用配光パターンＰＨｉを形成する場合、制御回路は、図９（ｃ）に示すように、各光学モジュール２０、４０Ａ、４０Ｂそれぞれの右光源２２ＢＲ、左光源２２ＢＬが消灯し、各光学モジュール２０、４０Ａ、４０Ｂそれぞれの中央光源２２Ａが点灯するように、各光学モジュール２０、４０Ａ、４０Ｂ（それぞれの右光源２２ＢＲ、左光源２２ＢＬ及び中央光源２２Ａ）を制御する。図９（ｃ）中、ハッチングされている領域は、各光学モジュール２０、４０Ａ、４０Ｂそれぞれの中央光源２２Ａが点灯されて発光している発光領域を表している。図１０（ａ）、図１０（ｂ）は、各光学モジュール２０、４０Ａ、４０Ｂの発光態様を表している。
【００８９】
以上のように、各光学モジュール２０、４０Ａ、４０Ｂ（それぞれの右光源２２ＢＲ、左光源２２ＢＬ及び中央光源２２Ａ）を制御することで、図５（ｃ）に示すように、２つのハイビーム用光学モジュール２０により形成されるハイビーム用配光パターンＰＨｉ中の集光領域Ｐ１と、ロービーム用光学モジュール４０Ａにより形成される集光領域Ｐ２と、ロービーム用光学モジュール４０Ｂにより形成される拡散領域Ｐ３とが重畳されたハイビーム用配光パターンＰＨｉが形成される。
【００９０】
一方、ロービーム用配光パターンＰＬｏを形成する場合、制御回路は、図９（ｂ）に示すように、各光学モジュール２０、４０Ａ、４０Ｂそれぞれの右光源２２ＢＲ、左光源２２ＢＬが消灯し、光学モジュール２０の中央光源２２Ａが消灯し、光学モジュール４０Ａ、４０Ｂそれぞれの中央光源２２Ａが点灯するように、各光学モジュール２０、４０Ａ、４０Ｂ（それぞれの右光源２２ＢＲ、左光源２２ＢＬ及び中央光源２２Ａ）を制御する。図９（ｂ）中、ハッチングされている領域は、光学モジュール４０Ａ、４０Ｂ（それぞれの中央光源２２Ａ）が点灯されて発光している発光領域を表している。図１０（ａ）、図１０（ｂ）は、各光学モジュール２０、４０Ａ、４０Ｂの発光態様を表している。
【００９１】
以上のように、各光学モジュール２０、４０Ａ、４０Ｂ（それぞれの右光源２２ＢＲ、左光源２２ＢＬ及び中央光源２２Ａ）を制御することで、図５（ｂ）に示すように、ロービーム用光学モジュール４０Ａにより形成される集光領域Ｐ２と、ロービーム用光学モジュール４０Ｂにより形成される拡散領域Ｐ３とが重畳されたロービーム用配光パターンＰＬｏが形成される。
【００９２】
一方、デイタイムランニングランプ用配光パターンＰＤＲＬを形成する場合、制御回路は、図９（ａ）に示すように、各光学モジュール２０、４０Ａ、４０Ｂそれぞれの右光源２２ＢＲ、左光源２２ＢＬが点灯し、各光学モジュール２０、４０Ａ、４０Ｂそれぞれの中央光源２２Ａが消灯するように、各光学モジュール２０、４０Ａ、４０Ｂ（それぞれの右光源２２ＢＲ、左光源２２ＢＬ及び中央光源２２Ａ）を制御する。図９（ａ）中、ハッチングされている領域は、各光学モジュール２０、４０Ａ、４０Ｂ（それぞれの右光源２２ＢＲ、左光源２２ＢＬ）が点灯されて発光している発光領域を表している。図１０（ｃ）、図１０（ｄ）は、各光学モジュール２０、４０Ａ、４０Ｂの発光態様を表している。
【００９３】
以上のように、各光学モジュール２０、４０Ａ、４０Ｂ（それぞれの右光源２２ＢＲ、左光源２２ＢＬ及び中央光源２２Ａ）を制御することで、図５（ａ）に示すように、各光学ユニット２０、４０Ａ、４０Ｂにより形成されるデイタイムランニングランプ用配光パターンＰＤＲＬが重畳されたデイタイムランニングランプ用配光パターンＰＤＲＬが形成される。
【００９４】
以上説明したように、本実施形態の車両用灯具１０を構成する各光学モジュール２０、４０Ａ、４０Ｂによれば、限られたスペースであっても複数のランプ（例えば、ヘッドランプ、デイタイムランニングランプ）を配置することができる。これは、第１光学部材２４の外周において当該第１光学部材２４を囲むように外周光学部材３２を配置したことに加え、第２のランプ（例えば、デイタイムランニングランプ）を実現するための構成（右光源２２ＢＲ、左光源２２ＢＬ及び第２光学部材２６）を、例えば、灯具正面から見て、第１のランプ（例えば、ヘッドランプ）を実現するための構成（第１光学部材２４）の後方に配置したことによるものである。
【００９５】
次に、変形例について説明する。
【００９６】
上記実施形態では、第１光学部材２４の外周導光部３２の前面３２ａを、光軸ＡＸ２２ＢＲ（２２ＢＬ）に対して直交する面として構成した例について説明したが、本発明はこれに限定されない。
【００９７】
例えば、第１光学部材２４の外周導光部３２の前面３２ａに少なくとも一つのレンズカットを形成してもよい。このようにすれば、第１光学部材２４の外周導光部３２の前面３２ａから出射する光が目的の方向へ向かうようにレンズカットの形状を調整することで、デイタイムランニングランプ以外の、例えば、ポジションランプ（車幅灯）、ターンシグナルランプ（方向指示器）等としても機能させることができる。
【００９８】
また、上記実施形態では、第１光学部材２４を、外周導光部３２（本発明の外周光学部材に相当）を含む光学部材として一体成形した例について説明したが、本発明はこれに限定されない。
【００９９】
例えば、図１１に示すように、第１光学部材２４の外周導光部３２は省略してもよい。この場合、第２光学部材２６の外周導光部２６ｂを前方に延長して、当該延長した部分を本発明の外周光学部材として用いることができる。
【０１００】
また、上記実施形態では、各光学モジュール２０、４０Ａ、４０Ｂを、中央光源２２Ａ、右光源２２ＢＲ、左光源２２ＢＬ、中央光源２２Ａからの光を制御する第１光学部材２４、左右光源２２ＢＲ、２２ＢＬからの光を制御する第２光学部材２６を含む光学モジュールとして構成した例について説明したが、本発明はこれに限定されない。
【０１０１】
例えば、図１２（ａ）、図１２（ｂ）に示すように、各光学モジュール２０、４０Ａ、４０Ｂを、中央光源２２Ａ、右光源２２ＢＲ（又は左光源２２ＢＬ）、中央光源２２Ａからの光を制御する第１光学部材２４、右光源２２ＢＲ（又は左光源２２ＢＬ）からの光を制御する第２光学部材２６を含む光学モジュールとして構成してもよい。
【０１０２】
なお、各光学モジュール２０、４０Ａ、４０Ｂは、一対の前面３０ｂ（及び一対の後面３０ｃ）が左右方向に配置された状態だけでなく、一対の前面３０ｂ（及び一対の後面３０ｃ）が上下方向又は斜め方向に配置された状態で用いることもできる。
【０１０３】
上記実施形態はあらゆる点で単なる例示にすぎない。これらの記載によって本発明は限定的に解釈されるものではない。本発明はその精神または主要な特徴から逸脱することなく他の様々な形で実施することができる。
【符号の説明】
【０１０４】
１０…車両用灯具、２０…ハイビーム用光学モジュール、２２Ａ…中央光源、２２Ａａ…基板、２２Ａｂ…半導体発光素子、２２Ａｃ…位置決め穴、２２Ａｄ…貫通穴、２２Ａｅ…下端部、２２ＢＬ…左光源、２２ＢＲ…右光源、２２Ｂａ…基板、２２Ｂｂ…半導体発光素子、２４…第１光学部材、２４ａ…位置決め穴、２６…第２光学部材、２６Ｌ…左導光部、２６Ｌａ…左入光部、２６Ｌｂ…第１入光面、２６Ｌｃ…第２入光面、２６Ｌｄ…反射面、２６Ｌｅ…凹部、２６Ｌｆ…反射面、２６Ｒ…右導光部、２６Ｒａ…右入光部、２６Ｒｂ…第１入光面、２６Ｒｃ…入光面、２６Ｒｄ…反射面、２６Ｒｅ…凹部、２６Ｒｆ…反射面、２６ａ…連結部、２６ａ１…切り欠き部、２６ｂ…外周導光部、２６ｂ１…前面、２６ｂ２…後面、２６ｃ…切り欠き部、２６ｄ…位置決め穴、２８…支持部材、２８ａ…ベース部、２８ｂ…右突出部、２８ｂ１…爪部、２８ｂ２…当接ピン、２８ｂ３…位置決めピン、２８ｃ…左突出部、２８ｃ１…爪部、２８ｄ…台座部、２８ｄ１…位置決めピン、２８ｄ２…ネジ穴、２８ｄ３…熱伝導部材用溝部、２８ｅ…右領域、２８ｆ…左領域、２８ｇ…放熱フィン、２８ｈ…位置決めピン、３０…光学部材本体、３０ａ…入光面、３０ｂ…前面、３０ｂ１…右前面、３０ｂ２…左前面、３０ｂ３…中間領域、３０ｃ…後面、３０ｃ１…右後面、３０ｃ２…左後面、３０ｃ３…矩形溝部、３０ｃ４…Ｖ溝部、３２…外周導光部、３２ａ…前面、３２ｂ…後面、３２ｃ…切り欠き部、３４…脚部、３４ａ…係止穴、４０Ａ、４０Ｂ…ロービーム用光学モジュール
【図１】
2014216159.tif 000003
【図２】
2014216159.tif 000004
【図３】
2014216159.tif 000005
【図４】
2014216159.tif 000006
【図５】
2014216159.tif 000007
【図６】
2014216159.tif 000008
【図７】
2014216159.tif 000009
【図８】
2014216159.tif 000010
【図９】
2014216159.tif 000011
【図１０】
2014216159.tif 000012
【図１１】
2014216159.tif 000013
【図１２】
2014216159.tif 000014
【図１３】
2014216159.tif 000015